(57)【要約】【課題】  特別な設備機械を必要とせず作業者が一人で容易にかつ安全に帯鋸刃の交換が可能な帯鋸刃交換補助装置および同装置を使用した帯鋸刃交換方法の提供。【解決手段】  上下方向に昇降自在の鋸刃ハウジングに回転自在に支持された駆動ホイール17と従動ホイール21とに掛け回されて回転走行する帯鋸刃23を備えると共に、前記駆動ホイールと従動ホイールとの間を走行する帯鋸刃の上側走行部23Uにおける水平走行部分の帯鋸刃を垂直方向に捻り起こしてガイドする一対の鋸刃ガイドを備えた横型帯鋸盤における帯鋸刃交換補助装置にして、前記帯鋸刃の上側走行部のほぼ中間領域を一時的に収納保持可能な開口部35を備えた鋸刃支持体33と、前記帯鋸刃の下側走行部23Lを一時的に保持可能な複数のサポートアーム31とを、前記横型帯鋸盤における鋸刃ハウジングの昇降領域の上方位置に設けたことを特徴とする横型帯鋸盤における帯鋸刃交換補助装置。【選択図】    図４
2005262352.tif 000002
【特許請求の範囲】
【請求項１】
上下方向に昇降自在の鋸刃ハウジングに回転自在に支持された駆動ホイールと従動ホイールとに適宜な張力で掛け回されて回転走行する帯鋸刃を備えると共に、前記駆動ホイールと従動ホイールとの間を走行する帯鋸刃の上側走行部における水平走行部分の帯鋸刃を垂直方向に捻り起こしてガイドする一対の鋸刃ガイドを備えた横型帯鋸盤における帯鋸刃交換補助装置にして、前記帯鋸刃の上側走行部のほぼ中間領域を一時的に収納保持可能な開口部を備えた鋸刃支持体と、前記帯鋸刃の下側走行部を一時的に保持可能な複数のサポートアームとを、前記横型帯鋸盤における鋸刃ハウジングの昇降領域の上方位置に設けたことを特徴とする横型帯鋸盤における帯鋸刃交換補助装置。
【請求項２】
請求項１に記載の横型帯鋸盤における帯鋸刃交換補助装置において、前記鋸刃支持体を前記帯鋸刃の上側走行部とほぼ平行に延伸して設けると共に、該鋸刃支持体を前記横型帯鋸盤の前面側へほぼ９０度の範囲で回動自在に設け、前記鋸刃支持体の開口部の開口方向を上向き方向から前記横型帯鋸盤の正面側へ回動可能に設けたことを特徴とする横型帯鋸盤における帯鋸刃交換補助装置。
【請求項３】
請求項１に記載の横型帯鋸盤における帯鋸刃交換補助装置において、前記鋸刃支持体の開口部の開口幅は少なくとも前記帯鋸刃が該開口部内で回転可能な幅に設け、前記サポートアームは前記帯鋸刃の下側走行部にほぼ直交する方向の変形が比較的に容易な弾性的材質からなると共に、該サポートアームの下端部に帯鋸刃保持部を設けると共に、該帯鋸刃保持部の高さを前記鋸刃ガイドの高さとほぼ同水準に設けたことを特徴とする横型帯鋸盤における帯鋸刃交換補助装置。
【請求項４】
上下方向に昇降自在の鋸刃ハウジングに回転自在に支持された駆動ホイールと従動ホイールとに掛け回されて回転走行する帯鋸刃を備えると共に、前記駆動ホイールと従動ホイールとの間を走行する前記帯鋸刃の上側走行部における水平走行部分の帯鋸刃を垂直方向に捻り起こしてガイドする一対の鋸刃ガイドを備え、前記帯鋸刃の上側走行部のほぼ中間領域を一時的に収納保持可能な開口部を備えた鋸刃支持体と、前記帯鋸刃の下側走行部を一時的に保持可能な帯鋸刃保持部を備えた複数のサポートアームを前記鋸刃ガイドの位置とほぼ同水準に設けた横型帯鋸盤における帯鋸刃交換補助装置において、次の工程によって帯鋸刃を交換することを特徴とする帯鋸刃交換方法;
１．張力付与手段により適宜な張力で駆動ホイールと従動ホイールとに巻回された前記帯鋸刃の張力を緩める、
２．横型帯鋸盤の正面側から前記帯鋸刃の下側走行部を前記駆動ホイールと従動ホイールとから取り外して前記サポートアームの帯鋸刃保持部に保持させる、
３．横型帯鋸盤の背面側に回って前記一対の鋸刃ガイドを緩める、
４．前記一対の鋸刃ガイドから帯鋸刃の上側走行部に相当する部分を抜き出して、前記鋸刃支持体の開口部に挿入する、
５．横型帯鋸盤の正面側から前記帯鋸刃を取り外す、
６．装着する帯鋸刃を手に持って該帯鋸刃の上側走行部に相当する部分を前記開口部に挿入すると共に、該帯鋸刃の下側走行部を前記サポートアームの帯鋸刃保持部に保持させる、
７．前記横型帯鋸盤の背面側から前記装着する帯鋸刃の上側走行部に相当する部分を手で持ち上げて、前記鋸刃支持体の開口部から取り出して前記一対の鋸刃ガイドのガイド部に挿入する、
８．前記一対の鋸刃ガイドを固定する、
９．横型帯鋸盤の正面側から前記サポートアームの帯鋸刃保持部から帯鋸刃の下側走行部をはずして、前記駆動ホイールと従動ホイールとに装着する、
１０．装着した帯鋸刃に張力付与手段により適宜な張力を付与する。
【発明の詳細な説明】
【技術分野】
【０００１】
本発明は横型帯鋸盤における帯鋸刃交換補助装置および同装置を使用した帯鋸刃交換方法に関する。
【背景技術】
【０００２】
従来、横型帯鋸盤における帯鋸刃交換は作業者の手によって行うのがが一般的であるが帯鋸刃自動交換装置のついた機械もある（例えば特許文献１）。
【０００３】
作業者の手による交換作業には次のような方法がある。例えば、帯鋸刃を装着する場合には、なお、帯鋸刃を取り外す場合は後述の手順を逆に行う。
１．駆動ホイールと従動ホイールとに鋸刃を装着した後、最後に鋸刃ガイドに設けられた鋸刃インサートに帯鋸刃を捻り起こしながら挿入して、鋸刃インサートを固定する方法。
２．鋸刃ガイドの鋸刃インサートに帯鋸刃の一部分を固定してから、帯鋸刃の残りの部分を駆動ホイールと従動ホイールとに装着する方法。
３．駆動ホイールと従動ホイールに帯鋸刃を装着した状態で、帯鋸刃を鋸刃ガイドの鋸刃インサートに機械で捻り起こして挿入する方法（例えば特許文献２）。
【特許文献１】特開平６−１４３０２７号公報
【特許文献２】特開平１−１９９７１８号公報
【発明の開示】
【発明が解決しようとする課題】
【０００４】
上述の従来１〜３の帯鋸刃の装着方法においては以下のような問題がある。
１．帯鋸刃を捻り起こしながら鋸刃ガイドの鋸刃インサートに挿入するため、帯鋸刃が大きく鋸刃の剛性が大きい場合には、帯鋸刃を人手で捻るのは困難であり、かつ環状の帯鋸刃を長円形に変形させることも大きな力を必要とする。
２．鋸刃ガイドの鋸刃インサートに帯鋸刃の一部分を先ず固定する場合においても、仮置きした反対側の帯鋸刃の自重によって、挿入側が引っ張られて帯鋸刃を捻り起こしながら持ち上げる必要がありかなりの力を必要となる。
３．帯鋸刃を機械で自動的に捻り起こす方法は構造的に複雑となると共にコストが高くなる。
【０００５】
本発明は上述の如き問題を解決するためになされたものであり、本発明の課題は、機械の前後で帯鋸刃の交換作業を行う構成の横型帯鋸盤において、特別な設備機械を必要とせず作業者が一人で容易にかつ安全に帯鋸刃の交換が可能な帯鋸刃交換補助装置および同装置を使用した帯鋸刃交換方法を提供することである。
【課題を解決するための手段】
【０００６】
上述の課題を解決する手段として請求項１に記載の横型帯鋸盤における帯鋸刃交換補助装置は、上下方向に昇降自在の鋸刃ハウジングに回転自在に支持された駆動ホイールと従動ホイールとに適宜な張力で掛け回されて回転走行する帯鋸刃を備えると共に、前記駆動ホイールと従動ホイールとの間を走行する帯鋸刃の上側走行部における水平走行部分の帯鋸刃を垂直方向に捻り起こしてガイドする一対の鋸刃ガイドを備えた横型帯鋸盤における帯鋸刃交換補助装置にして、前記帯鋸刃の上側走行部のほぼ中間領域を一時的に収納保持可能な開口部を備えた鋸刃支持体と、前記帯鋸刃の下側走行部を一時的に保持可能な複数のサポートアームとを、前記横型帯鋸盤における鋸刃ハウジングの昇降領域の上方位置に設けたことを要旨とするものである。
【０００７】
請求項２に記載の横型帯鋸盤における帯鋸刃交換補助装置は、前記鋸刃支持体を前記帯鋸刃の上側走行部とほぼ平行に延伸して設けると共に、該鋸刃支持体を前記横型帯鋸盤の前面側へほぼ９０度の範囲で回動自在に設け、前記鋸刃支持体の開口部の開口方向を上向き方向から前記横型帯鋸盤の正面側へ回動可能に設けたことを要旨とするものである。
【０００８】
請求項３に記載の横型帯鋸盤における帯鋸刃交換補助装置は、請求項１に記載の横型帯鋸盤における帯鋸刃交換補助装置において、前記鋸刃支持体の開口部の開口幅は少なくとも前記帯鋸刃が該開口部内で回転可能な幅に設け、前記サポートアームは前記帯鋸刃の下側走行部にほぼ直交する方向の変形が比較的に容易な弾性的材質からなると共に、該サポートアームの下端部に帯鋸刃保持部を設けると共に、該帯鋸刃保持部の高さを前記鋸刃ガイドの高さとほぼ同水準に設けたを要旨とするものである。
【０００９】
請求項４に記載の横型帯鋸盤における帯鋸刃交換方法は、上下方向に昇降自在の鋸刃ハウジングに回転自在に支持された駆動ホイールと従動ホイールとに掛け回されて回転走行する帯鋸刃を備えると共に、前記駆動ホイールと従動ホイールとの間を走行する前記帯鋸刃の上側走行部における水平走行部分の帯鋸刃を垂直方向に捻り起こしてガイドする一対の鋸刃ガイドを備え、前記帯鋸刃の上側走行部のほぼ中間領域を一時的に収納保持可能な開口部を備えた鋸刃支持体と、前記帯鋸刃の下側走行部を一時的に保持可能な帯鋸刃保持部を備えた複数のサポートアームを前記鋸刃ガイドの位置とほぼ同水準に設けた横型帯鋸盤における帯鋸刃交換補助装置において、次の工程によって帯鋸刃を交換することを要旨とするものである；
【００１０】
１．張力付与手段により適宜な張力で駆動ホイールと従動ホイールとに巻回された前記帯鋸刃の張力を緩める、
２．横型帯鋸盤の正面側から前記帯鋸刃の下側走行部を前記駆動ホイールと従動ホイールとから取り外して前記サポートアームの帯鋸刃保持部に保持させる、
３．横型帯鋸盤の背面側に回って前記一対の鋸刃ガイドを緩める、
４．前記一対の鋸刃ガイドから帯鋸刃の上側走行部に相当する部分を抜き出して、前記鋸刃支持体の開口部に挿入する、
５．横型帯鋸盤の正面側から前記帯鋸刃を取り外す、
６．装着する帯鋸刃を手に持って該帯鋸刃の上側走行部に相当する部分を前記開口部に挿入すると共に、該帯鋸刃の下側走行部を前記サポートアームの帯鋸刃保持部に保持させる、
７．前記横型帯鋸盤の背面側から前記装着する帯鋸刃の上側走行部に相当する部分を手で持ち上げて、前記鋸刃支持体の開口部から取り出して前記一対の鋸刃ガイドのガイド部に挿入する、
８．前記一対の鋸刃ガイドを固定する、
９．横型帯鋸盤の正面側から前記サポートアームの帯鋸刃保持部から帯鋸刃の下側走行部をはずして、前記駆動ホイールと従動ホイールとに装着する、
１０．装着した帯鋸刃に張力付与手段により適宜な張力を付与する。
【発明の効果】
【００１１】
請求項１〜請求項４の発明によれば、特別な帯鋸刃自動交換装を必要とせず、作業者が一人で容易にかつ安全に帯鋸刃を交換することができる。
【００１２】
すなわち、帯鋸刃交換時において帯鋸刃の下側走行部サポートアームが保持しているので、帯鋸刃の全重量の半分の力で交換作業を行うことができ、交換作業が容易にかつ安全になった。
【００１３】
また、大きな力で帯鋸刃を捻って移動鋸刃ガイドと固定鋸刃ガイドに装着する帯鋸刃の脱着時において、鋸刃ガイドとほぼ同等の水準にサポートアームが設けてあるので、帯鋸刃に無理な捻りが加わらず、また鋸刃支持体を回動自在に設けたので交換作業時の微妙な取り回しにも帯鋸刃に捻りが発生せず大きな力を出さなくても交換ができるようになった。
【発明を実施するための最良の形態】
【００１４】
以下、本発明の実施の形態を図面によって説明する。
【００１５】
図１、図２を参照するに、本発明に係る横型帯鋸盤１が示してある。横型帯鋸盤１は箱状のベースフレーム３を備えており、このベースフレーム３の上面には、紙面の裏面側から被切断材Ｗを横型帯鋸盤１へ搬入するための被切断材搬入台４と、この横型帯鋸盤１で切断された製品を支持する後述の製品受台６が設けてある。
【００１６】
前記被切断材搬入台４には、被切断材Ｗを挟持固定自在の固定バイスジョウー５Ｆと可動バイスジョー５Ｍとを対向して備えたバイス装置（5F,5M）が設けられている。上記バイス装置５の構成は一般的な構成であって公知であるから、上記バイス装置（5F,5M）の詳細についての説明は省略する。
【００１７】
前記ベースフレーム３には左右一対のガイドポスト７Ｌ、７Ｒが立設してあり、このガイドポスト７Ｌ、７Ｒの上端部側は、強度向上、及びガイドポスト７Ｌ、７Ｒの平行度維持を図るべく連結部材９を介して一体的に連結してある。
【００１８】
前記左右のガイドポスト７Ｌ、７Ｒには円筒形状のスライドスリーブ１１Ｌ、１１Ｒが上下動自在に嵌合してあり、この左右のスライドスリーブ１１Ｌ、１１Ｒのそれぞれ左右外側部には、左右のホイールブラケット１３Ｌ、１３Ｒがそれぞれ溶接等によって一体的に固定してある。
【００１９】
上記左右のホイールブラケット１３Ｌ、１３Ｒは、上部側が後側となるように（図 1 において上部側が裏面側となるように）傾斜してある。そして、前記スライドスリーブ１１Ｌ、１１Ｒの下部側及び左右のホイールブラケット１３Ｌ、１３Ｒの下部側は、左右方向に長いビーム部材１４で一体的に連結しである。
【００２０】
このビーム部材１４や左右のホイールブラケット１３Ｌ、１３Ｒは、後述する駆動ホイール、従動ホイールを回転自在に支持する鋸刃ハウジングを構成するものであり、上側を開口したＣ型形状に構成してあり、高さ寸法を抑制することができるものである。
【００２１】
前記ホイールブラケット１３Ｒは、図２に示すように、上部ブラケット１３Ａと下部ブラケット１３Ｂとを備えた二重構造に構成してあり、上記上下のブラケット１３Ａ、１３Ｂに両端側を支持された回転軸１５を介して上下のブラケット１３Ａ、１３Ｂの間に駆動ホイール１７が回転自在に支持されている。
【００２２】
なお、上記駆動ホイール１７は、前記ホイールブラケット１３Ｒに装着したモータＭ（図１〜図３参照）によって回転駆動されるものである。
【００２３】
左側の前記ホイールブラケット１３Ｌには回転軸１９を介して従動ホイール２１が回転自在に支持されており、この従動ホイール２１と前記駆動ホイール１７には帯鋸刃２３が掛回してある。さらに、前記駆動ホイール１７に対して接近離反する方向へ前記従動ホイール２１を移動して前記帯鋸刃２３に張力を付与するための張力付与手段２５が前記ホイールブラケット１３Ｌに装着してある。
【００２４】
上記張力付与手段 ２５は、前記回転軸１９を支持した支持ブロック（図示省略）を前記駆動ホイール１７に対して接近離反する方向へ移動することによって帯鋸刃２３に張力を付与するもので、例えば油圧シリンダやネジ機構などよりなるものであり、この種の張力付与手段２５は公知であるから、張力付与手段２５についてより詳細な説明は省略する。また、前記鋸刃ハウジングを上下動するために、例えば油圧シリンダのごとき上下動用アクチュエータ（図示省略）が設けてある。
【００２５】
前記駆動ホイール１７及び従動ホイール２１は、図２に示すように、左右方向の側方から見たとき駆動ホイール１７、従動ホイール２１の上部側が前記ガイドポスト７Ｌ、７Ｒより後側（図２においては右側）に位置し、前記駆動ホイール１７、従動ホイール２１の下部側が前記ガイドポスト７Ｌ、７Ｒの前側（図２においては左側）に位置するように前後に傾斜してある。
【００２６】
したがって、前記駆動ホイール１７と従動ホイール２１とに掛回した前記帯鋸刃２３における直線状の上側走行部２３Ｕは前記一対のガイドポスト７Ｌ、７Ｒの後側に位置し、帯鋸刃２３の直線状の下側走行部２３Ｌは前記ガイドポスト７Ｌ、７Ｒの前側に位置している。
【００２７】
そして、前記上側走行部２３Ｕによって前記被切断材Ｗを切断するために、前記上側走行部２３Ｕにおける鋸歯の歯先が垂直下方向を指向するように捻り起すための移動鋸刃ガイド２４と、固定鋸刃ガイド２６が前記鋸刃ハウジングに備えられている（図３参照）。
【００２８】
また、帯鋸刃２３の前記下側走行部２３Ｌは、前記鋸刃ハウジングが最上昇した場合であっても前記バイス装置５の被切断材支持面より下側に位置するようになっている。
【００２９】
以上のごとき構成において、駆動ホイール１７を回転駆動し、かつ鋸刃ハウジングを下降することにより、バイス装置５に挟持固定されたワークＷを、走行部２３Ｕによって切断することができるものである。
【００３０】
なお、図１、図３に示す如く、前記帯鋸刃２３の上側走行部２３Ｕの上方空間には、前記鋸刃ハウジングのの上下動に追従して昇降されるキャリッジバー２７が前記上側走行部２３Ｕに平行かつ水平方向に延設して設けてあり、このこのキャリッジバー２７には、前記帯鋸刃２３の上側走行部２３Ｕが被切断材Ｗの近傍に接近したことを検出するための板状の検出子２９が設けてある。
【００３１】
以下に本発明の主要部である横型帯鋸盤における帯鋸刃交換補助装置３０について説明する。
【００３２】
図４によく示されているように、前記連結部材９には、この連結部材９から横型帯鋸盤の正面側に斜め下方に延伸すると共に、前記帯鋸刃の下側走行部２３Ｕにほぼ直交する棒状の２本のサポートアーム３１が取り付けてある。このサポートアーム３１の下端部には、前記帯鋸刃２３を保持するコの字形の帯鋸刃保持部３１Ｈが設けてある。なお、この帯鋸刃保持部３１Ｈの高さは前記鋸刃ガイド(24,26)の高さとほぼ同水準に設けてある。また、前記サポートアーム３１は、ばね鋼などの弾性的材質からなり前記帯鋸刃の走行方向に直交する方向の変形が比較的に容易となっている。
【００３３】
図１、図４によく示されているように、前記連結部材９の上部には、前記駆動ホイール１７と従動ホイール２１に掛け回されて回転走行する前記帯鋸刃２３の上側走行部２３Ｕとほぼ平行に延伸した鋸刃支持体３３が設けてある。
【００３４】
また、この鋸刃支持体３３には上方向に開口したコの字形の開口部３５が設けてある。この鋸刃支持体３３のコの字形の開口部３５には、前記帯鋸刃２３の上側走行部２３Ｕとなる中間領域を一時的に収納保持可能である。
【００３５】
また、上述の鋸刃支持体３３の前面側下面部と前記連結部材９とは、蝶番３７を介して連結してあり、鋸刃支持体３３は前記横型帯鋸盤の前面側へほぼ９０度の範囲で回動自在に設けてある。
【００３６】
なお、前記開口部３５の開口幅はは少なくとも前記帯鋸刃２３が該開口部３５内で回転可能な幅になっている。
【００３７】
上記構成における横型帯鋸盤における帯鋸刃交換補助装置を使用して、帯鋸刃２３を交換する工程を説明する。
【００３８】
１．張力付与手段により適宜な張力で駆動ホイールと従動ホイールとに巻回された前記帯鋸刃の張力を緩める、
２．横型帯鋸盤の正面側から前記帯鋸刃の下側走行部を前記駆動ホイールと従動ホイールとから取り外して前記サポートアームの帯鋸刃保持部に保持させる、
３．横型帯鋸盤の背面側に回って前記一対の鋸刃ガイドを緩める、
４．前記一対の鋸刃ガイドから帯鋸刃の上側走行部に相当する部分を抜き出して、前記鋸刃支持体の開口部に挿入する、
５．横型帯鋸盤の正面側から前記帯鋸刃を取り外す、
６．装着する帯鋸刃を手に持って該帯鋸刃の上側走行部に相当する部分を前記開口部に挿入すると共に、該帯鋸刃の下側走行部を前記サポートアームの帯鋸刃保持部に保持させる、
７．前記横型帯鋸盤の背面側から前記装着する帯鋸刃の上側走行部に相当する部分を手で持ち上げて、前記鋸刃支持体の開口部から取り出して前記一対の鋸刃ガイドのガイド部に挿入する、
８．前記一対の鋸刃ガイドを固定する、
９．横型帯鋸盤の正面側から前記サポートアームの帯鋸刃保持部から帯鋸刃の下側走行部をはずして、前記駆動ホイールと従動ホイールとに装着する、
１０．装着した帯鋸刃に張力付与手段により適宜な張力を付与する。
【００３９】
上述の如く、本発明に係る帯鋸刃交換補助装置を使用すれば、特別な帯鋸刃自動交換装を必要とせず、作業者が一人で容易にかつ安全に帯鋸刃を交換することができる。
【００４０】
すなわち、帯鋸刃交換時において帯鋸刃２３の下側走行部２３Ｕをサポートアーム３１が保持しているので、帯鋸刃２３の全重量の半分の力で交換作業を行うことができ、交換作業が容易にかつ安全になった。
【００４１】
また、大きな力で帯鋸刃２３を捻って移動鋸刃ガイド２４と固定鋸刃ガイド２６に装着する帯鋸刃２３の脱着時に、鋸刃ガイド(24,26)とほぼ同等の水準にサポートアーム３１が設けてあるので、帯鋸刃２３に無理な捻りが加わらず、また鋸刃支持体３３を回動自在に設けたので交換作業時の微妙な取り回しにも帯鋸刃２３に捻りが発生せず大きな力を出さなくても交換ができるようになった。
【００４２】
なお、図１〜図３に総括的な符号４０で示してあるのは回転駆動されるワイヤーブラシを備えた切粉除去装置４０であるが、本発明の主要部ではないので詳細な説明は省略する。
【図面の簡単な説明】
【００４３】
【図１】本発明の実施の形態に係る帯鋸刃交換補助装置３０を備えた横型帯鋸盤を正面から見た説明図である。
【図２】図１を右側面から見た説明図である。
【図３】図１を背面側から見た説明図である。
【図４】図１に示す本発明の実施の形態に係る帯鋸刃交換補助装置３０を使用して帯鋸刃を装着するときの状態の説明図である。
【符号の説明】
【００４４】
１  横型帯鋸盤
３  ベースフレーム
４  被切断材搬入台
５Ｆ  固定バイスジョウー
６  製品受台
５Ｍ  可動バイスジョー
７Ｌ、７Ｒ  ガイドポスト
９  連結部材
１１Ｌ、１１Ｒ  スライドスリーブ
１３Ｌ、１３Ｒ  ホイールブラケット
１３Ａ  上部ブラケット
１３Ｂ  下部ブラケット
１４  ビーム部材
１５  回転軸
１７  駆動ホイール
１９  回転軸
２１  従動ホイール
２３  帯鋸刃
２３Ｕ  上側走行部
２３Ｌ  下側走行部
２４  移動鋸刃ガイド
２５  張力付与手段
２６  固定鋸刃ガイド
２７  キャリッジバー
２９  検出子
３０  帯鋸刃交換補助装置
３１  サポートアーム
３１Ｈ  帯鋸刃保持部
３３  鋸刃支持体
３５  開口部
３７  蝶番
４０  切粉除去装置
Ｗ  被切断材
【図１】
2005262352.tif 000003
【図２】
2005262352.tif 000004
【図３】
2005262352.tif 000005
【図４】
2005262352.tif 000006